(57)【要約】【目的】  記録媒体への情報記録品質の低下を防ぐようにする。【構成】  ＲＯＭ１３に、光ディスクの複数段階の情報記録品質レベル毎に対応する光ディスクへの記録中に照射する光の記録パワー値を補正する第１〜第３ランニングＯＰＣ工程を記憶し、光ディスク１への情報記録中にＰＤ部４によって光ディスク１へ照射した光の反射光を検出し、ＣＰＵ１０がその検出した反射光に基づく算出値と予めＲＯＭ１３に記憶した規定値との比較結果に基づいて光ディスク１の情報記録品質レベルの段階を判別し、ＲＯＭ１３に記憶された第１〜第３ランニングＯＰＣ工程の中から上記判別した情報記録品質レベルの段階に対応するランニングＯＰＣ工程を選択する。【選択図】        図１
2006302457.tif 000002
【特許請求の範囲】
【請求項１】
記録媒体に光を照射して情報の記録又は再生を行う情報記録再生装置において、
記録媒体の複数段階の情報記録品質レベル毎に対応する記録媒体への記録中に照射する光の記録パワー値を補正するランニングＯＰＣ工程を記憶する手段と、
前記記録媒体への情報記録前又は情報記録中に情報記録条件又は前記記録媒体へ照射した光の反射光を検出し、該検出した反射光に基づく算出値と予め記憶した規定値との比較結果に基づいて前記情報記録前又は情報記録中の記録媒体の情報記録品質レベルの段階を判別し、前記記憶した複数段階の情報記録品質レベル毎のランニングＯＰＣ工程の中から前記判別した情報記録品質レベルの段階に対応するランニングＯＰＣ工程を選択する手段とを設けたことを特徴とする情報記録再生装置。
【請求項２】
記録媒体に光を照射して情報の記録又は再生を行う情報記録再生装置において、
記録媒体への記録中に記録媒体に照射する光の記録パワー値を補正するランニングＯＰＣ工程を複数種類記憶する手段と、
情報記録品質レベルが低い記録媒体の識別情報のリストを記憶する手段と、
情報を記録する記録媒体の識別情報が前記記憶したリストに有るか否かを判別し、前記情報を記録する記録媒体の識別情報が前記記憶したリストに有ったとき、前記記憶した複数種類のランニングＯＰＣ工程の中から記録媒体に照射する光の記録パワー値を高精度で補正するランニングＯＰＣ工程を選択する手段とを設けたことを特徴とする情報記録再生装置。
【請求項３】
記録媒体に光を照射して情報の記録又は再生を行う情報記録再生装置において、
記録媒体への記録中に記録媒体に照射する光の記録パワー値を補正するランニングＯＰＣ工程を複数種類記憶する手段と、
情報を記録する記録媒体の内周側と外周側とでそれぞれ試し書きをして内周側と外周側とにおける照射する光の最適記録パワー値を算出し、該算出した各最適記録パワー値の差分値が予め記憶した規定値よりも大きいとき、前記記憶した複数種類のランニングＯＰＣ工程の中から記録媒体に照射する光の記録パワー値を高精度で補正するランニングＯＰＣ工程を選択する手段とを設けたことを特徴とする情報記録再生装置。
【請求項４】
記録媒体に光を照射して情報の記録又は再生を行う情報記録再生装置において、
記録媒体への記録中に記録媒体に照射する光の記録パワー値を補正するランニングＯＰＣ工程を複数種類記憶する手段と、
記録媒体の情報記録品質の許容レベルを超える記録品質領域を示す規定アドレス範囲を記憶する手段と、
記録媒体への情報記録量と情報記録開始アドレスとに基づいて情報記録終了アドレスを算出し、該算出した情報記録終了アドレスが前記記憶した規定アドレス範囲内にあるとき、前記記憶した複数種類のランニングＯＰＣ工程の中から記録媒体に照射する光の記録パワー値を高精度で補正するランニングＯＰＣ工程を選択する手段とを設けたことを特徴とする情報記録再生装置。
【請求項５】
記録媒体に光を照射して情報の記録又は再生を行う情報記録再生装置において、
記録媒体への記録中に記録媒体に照射する光の記録パワー値を補正するランニングＯＰＣ工程を複数種類記憶する手段と、
記録媒体の情報記録品質の許容レベルを超える情報記録速度を示す規定速度を記憶する手段と、
記録媒体への情報記録速度が前記規定速度を超えるとき、前記記憶した複数種類のランニングＯＰＣ工程の中から記録媒体に照射する光の記録パワー値を高精度で補正するランニングＯＰＣ工程を選択する手段とを設けたことを特徴とする情報記録再生装置。
【請求項６】
記録媒体に光を照射して情報の記録又は再生を行う情報記録再生装置において、
記録媒体の複数の記録領域毎に対応する記録媒体への記録中に照射する光の記録パワー値を補正するランニングＯＰＣ工程を記憶する手段と、
記録媒体に情報を記録するとき、前記記憶した複数の記録領域毎に対応するランニングＯＰＣ工程の中から記録先の記録領域に対応するランニングＯＰＣ工程を選択する手段とを設けたことを特徴とする情報記録再生装置。
【請求項７】
記録媒体に光を照射して情報の記録又は再生を行う情報記録再生装置において、
記録媒体への記録中に記録媒体に照射する光の記録パワー値を補正するランニングＯＰＣ工程を複数種類記憶する手段と、
記録媒体に情報を記録する前に、前記記録媒体の記録領域を複数の領域に分割し、該分割された各領域毎に記録媒体の傾き値を測定し、該測定した傾き値が予め記憶した規定値を超えるとき、前記記憶した複数種類のランニングＯＰＣ工程の中から記録媒体に照射する光の記録パワー値を高精度で補正するランニングＯＰＣ工程を選択する手段とを設けたことを特徴とする情報記録再生装置。
【請求項８】
記録媒体に光を照射して情報の記録又は再生を行う情報記録再生装置において、
記録媒体の複数段階の情報記録品質レベル毎に対応する記録媒体への記録中に照射する光の記録パワー値を補正するランニングＯＰＣ工程を記憶し、前記記録媒体への情報記録前又は情報記録中に情報記録条件又は前記記録媒体へ照射した光の反射光を検出し、該検出した反射光に基づく算出値と予め記憶した規定値との比較結果に基づいて前記情報記録前又は情報記録中の記録媒体の情報記録品質レベルの段階を判別し、前記記憶した複数段階の情報記録品質レベル毎のランニングＯＰＣ工程の中から前記判別した情報記録品質レベルの段階に対応するランニングＯＰＣ工程を選択する手段と、
記録媒体への記録中に記録媒体に照射する光の記録パワー値を補正するランニングＯＰＣ工程を複数種類記憶し、情報記録品質レベルが低い記録媒体の識別情報のリストを記憶し、情報を記録する記録媒体の識別情報が前記記憶したリストに有るか否かを判別し、前記情報を記録する記録媒体の識別情報が前記記憶したリストに有ったとき、前記記憶した複数種類のランニングＯＰＣ工程の中から記録媒体に照射する光の記録パワー値を高精度で補正するランニングＯＰＣ工程を選択する手段と、
記録媒体への記録中に記録媒体に照射する光の記録パワー値を補正するランニングＯＰＣ工程を複数種類記憶し、情報を記録する記録媒体の内周側と外周側とでそれぞれ試し書きをして内周側と外周側とにおける照射する光の最適記録パワー値を算出し、該算出した各最適記録パワー値の差分値が予め記憶した規定値よりも大きいとき、前記記憶した複数種類のランニングＯＰＣ工程の中から記録媒体に照射する光の記録パワー値を高精度で補正するランニングＯＰＣ工程を選択する手段と、
記録媒体への記録中に記録媒体に照射する光の記録パワー値を補正するランニングＯＰＣ工程を複数種類記憶し、記録媒体の情報記録品質の許容レベルを超える記録品質領域を示す規定アドレス範囲を記憶し、記録媒体への情報記録量と情報記録開始アドレスとに基づいて情報記録終了アドレスを算出し、該算出した情報記録終了アドレスが前記記憶した規定アドレス範囲内にあるとき、前記記憶した複数種類のランニングＯＰＣ工程の中から記録媒体に照射する光の記録パワー値を高精度で補正するランニングＯＰＣ工程を選択する手段と、
記録媒体への記録中に記録媒体に照射する光の記録パワー値を補正するランニングＯＰＣ工程を複数種類記憶し、記録媒体の情報記録品質の許容レベルを超える情報記録速度を示す規定速度を記憶し、記録媒体への情報記録速度が前記規定速度を超えるとき、前記記憶した複数種類のランニングＯＰＣ工程の中から記録媒体に照射する光の記録パワー値を高精度で補正するランニングＯＰＣ工程を選択する手段と、
記録媒体の複数の記録領域毎に対応する記録媒体への記録中に照射する光の記録パワー値を補正するランニングＯＰＣ工程を記憶し、記録媒体に情報を記録するとき、前記記憶した複数の記録領域毎に対応するランニングＯＰＣ工程の中から記録先の記録領域に対応するランニングＯＰＣ工程を選択する手段と、
記録媒体への記録中に記録媒体に照射する光の記録パワー値を補正するランニングＯＰＣ工程を複数種類記憶し、記録媒体に情報を記録する前に、前記記録媒体の記録領域を複数の領域に分割し、該分割された各領域毎に記録媒体の傾き値を測定し、該測定した傾き値が予め記憶した規定値を超えるとき、前記記憶した複数種類のランニングＯＰＣ工程の中から記録媒体に照射する光の記録パワー値を高精度で補正するランニングＯＰＣ工程を選択する手段と、
前記各手段の内から選択した複数の手段を有効にする手段とを設けたことを特徴とする情報記録再生装置。
【発明の詳細な説明】
【技術分野】
【０００１】
この発明は、ＣＤ、ＤＶＤを含む記録媒体に光を照射して情報の記録又は再生を行うＣＤドライブ、ＤＶＤドライブを含む情報記録再生装置に関する。
【背景技術】
【０００２】
記録媒体である光ディスクは、その記録面、記録層にレーザ光を照射して記録マークを形成することにより情報の記録がなされる。
しかし、記録するレーザ光の記録パワー値によって記録マークの形状が変化するため、情報を記録する際には記録パワー値の最適化処理（Ｏｐｔｉｍｕｍ  Ｐｏｗｅｒ  Ｃｏｎｔｒｏｌ：ＯＰＣ）を行っている。
ＯＰＣの動作では、記録開始の準備として予めパワーキャリブレーションエリア（Ｐｏｗｅｒ  Ｃａｌｉｂｒａｔｉｏｎ  Ａｒｅａ：ＰＣＡ）に記録パワーを変化させながら試し書きを行い、その中で最も記録状態の良かった記録パワー値を最適記録パワー値に決定している。
そして、実際の情報記録時には、ＯＰＣによって求めた最適記録パワー値を維持しながら記録を行う。
【０００３】
ところが、ＯＰＣで取得した最適記録パワー値を保ちながら情報を記録していても、光ディスクの書き込むエリアの変化や、光ディスクの面内の感度ばらつき等による最適記録パワー値の変化、レーザ光を出力する装置等の温度変化による見かけ上の記録パワー値の変化などにより、実記録が始まると最適記録パワー値が変化してしまう。
これに対処するために、光ディスクへの情報の記録中、光ディスクへ照射する光の記録パワー値を補正するランニングＯＰＣという記録パワー値の最適化処理が一般的に行われている。
【０００４】
従来、情報記録前に実施した通常のＯＰＣ時のモニタ信号をＲＡＭなどに記録し、この記録したモニタ信号レベルとランニングＯＰＣ時によって検出したモニタ信号レベルとをＣＰＵで比較し、両者が等しくなるようにＲＯＭに記憶された所定の演算プログラムに基づいて随時最適なレーザビーム出力を算出し、レーザコントロール回路を設定するランニングＯＰＣを行う情報記録再生装置（例えば、特許文献１参照）があった。
【０００５】
この情報記録再生装置では、反射光をサンプル・ホールド回路で取得するが、情報記録の高速化に伴って所望の値を高精度にサンプリングすることが困難になっている。
そこで従来、上記ランニングＯＰＣの問題点である情報書き込み中の反射光の高精度なサンプリングの困難性を解決するため、情報記録を一時的に中断して記録品質を示すアシンメトリ値をモニタし、目標となるアシンメトリ値と等しくなるように記録パワー値を算出して補正する情報記録再生装置（例えば、特許文献２参照）があった。
上記アシンメトリ値とは記録データの再生信号の直流成分に対する最大値と最小値の差と和の比である。
この情報記録再生装置によれば、記録を一時的に中断することによって記録時間は中断しないものに比べて大きくなるが、再生信号の記録品質をモニタするので、上記ランニングＯＰＣよりも記録パワー値を最適記録パワーに高精度で補正することが実現できる。
【特許文献１】特開平９−２７０１２８号公報
【特許文献２】特開２００４−２３４８１２号公報
【発明の開示】
【発明が解決しようとする課題】
【０００６】
上述のとおり、従来の情報記録再生装置では、ランニングＯＰＣによって光ディスクからの反射光を受光してその光量変動から記録具合を判断し、ＯＰＣで求めた最適記録パワー値に対して随時補正を行いながら情報記録を行うが、近年では高速記録を実現するために記録パワー値の波形が単一矩形波ではなく、単一矩形波を連続させたマルチパルスや、パルスの先頭および後尾のパワーを増大させたキャッスルパルスなどが用いられている。
しかしながら、従来の情報記録再生装置では、レーザ光波形を用いる記録中では光ディスクからの反射光は照射光よりも複雑な波形になり、そのような複雑な波形の所望の部分をサンプリングすることは困難になってしまうという問題があった。
また、光ディスクへの情報記録の高速化が進み、光ディスクの内周の試し書き領域内では実記録領域での記録速度で試し書きができなくなっているという問題もあった。
一方、光ディスクの記録への品質が向上し、高い記録品質特性を有する光ディスクの情報記録では、精度の低いランニングＯＰＣを行うことで逆に記録品質を低下させる場合があるという問題もあった。
この発明は上記の点に鑑みてなされたものであり、記録媒体への情報記録品質の低下を防ぐことを目的とする。
【課題を解決するための手段】
【０００７】
この発明は上記の目的を達成するため、次の情報記録再生装置を提供する。
（１）記録媒体に光を照射して情報の記録又は再生を行う情報記録再生装置において、記録媒体の複数段階の情報記録品質レベル毎に対応する記録媒体への記録中に照射する光の記録パワー値を補正するランニングＯＰＣ工程を記憶する手段と、上記記録媒体への情報記録前又は情報記録中に情報記録条件又は上記記録媒体へ照射した光の反射光を検出し、その検出した反射光に基づく算出値と予め記憶した規定値との比較結果に基づいて上記情報記録前又は情報記録中の記録媒体の情報記録品質レベルの段階を判別し、上記記憶した複数段階の情報記録品質レベル毎のランニングＯＰＣ工程の中から上記判別した情報記録品質レベルの段階に対応するランニングＯＰＣ工程を選択する手段を設けた情報記録再生装置。
【０００８】
（２）記録媒体に光を照射して情報の記録又は再生を行う情報記録再生装置において、記録媒体への記録中に記録媒体に照射する光の記録パワー値を補正するランニングＯＰＣ工程を複数種類記憶する手段と、情報記録品質レベルが低い記録媒体の識別情報のリストを記憶する手段と、情報を記録する記録媒体の識別情報が上記記憶したリストに有るか否かを判別し、上記情報を記録する記録媒体の識別情報が上記記憶したリストに有ったとき、上記記憶した複数種類のランニングＯＰＣ工程の中から記録媒体に照射する光の記録パワー値を高精度で補正するランニングＯＰＣ工程を選択する手段を設けた報記録再生装置。
【０００９】
（３）記録媒体に光を照射して情報の記録又は再生を行う情報記録再生装置において、記録媒体への記録中に記録媒体に照射する光の記録パワー値を補正するランニングＯＰＣ工程を複数種類記憶する手段と、情報を記録する記録媒体の内周側と外周側とでそれぞれ試し書きをして内周側と外周側とにおける照射する光の最適記録パワー値を算出し、その算出した各最適記録パワー値の差分値が予め記憶した規定値よりも大きいとき、上記記憶した複数種類のランニングＯＰＣ工程の中から記録媒体に照射する光の記録パワー値を高精度で補正するランニングＯＰＣ工程を選択する手段を設けた情報記録再生装置。
【００１０】
（４）記録媒体に光を照射して情報の記録又は再生を行う情報記録再生装置において、記録媒体への記録中に記録媒体に照射する光の記録パワー値を補正するランニングＯＰＣ工程を複数種類記憶する手段と、記録媒体の情報記録品質の許容レベルを超える記録品質領域を示す規定アドレス範囲を記憶する手段と、記録媒体への情報記録量と情報記録開始アドレスとに基づいて情報記録終了アドレスを算出し、その算出した情報記録終了アドレスが前記記憶した規定アドレス範囲内にあるとき、上記記憶した複数種類のランニングＯＰＣ工程の中から記録媒体に照射する光の記録パワー値を高精度で補正するランニングＯＰＣ工程を選択する手段を設けた情報記録再生装置。
【００１１】
（５）記録媒体に光を照射して情報の記録又は再生を行う情報記録再生装置において、記録媒体への記録中に記録媒体に照射する光の記録パワー値を補正するランニングＯＰＣ工程を複数種類記憶する手段と、記録媒体の情報記録品質の許容レベルを超える情報記録速度を示す規定速度を記憶する手段と、記録媒体への情報記録速度が上記規定速度を超えるとき、上記記憶した複数種類のランニングＯＰＣ工程の中から記録媒体に照射する光の記録パワー値を高精度で補正するランニングＯＰＣ工程を選択する手段を設けた情報記録再生装置。
【００１２】
（６）記録媒体に光を照射して情報の記録又は再生を行う情報記録再生装置において、記録媒体の複数の記録領域毎に対応する記録媒体への記録中に照射する光の記録パワー値を補正するランニングＯＰＣ工程を記憶する手段と、記録媒体に情報を記録するとき、上記記憶した複数の記録領域毎に対応するランニングＯＰＣ工程の中から記録先の記録領域に対応するランニングＯＰＣ工程を選択する手段を設けた情報記録再生装置。
【００１３】
（７）記録媒体に光を照射して情報の記録又は再生を行う情報記録再生装置において、記録媒体への記録中に記録媒体に照射する光の記録パワー値を補正するランニングＯＰＣ工程を複数種類記憶する手段と、記録媒体に情報を記録する前に、上記記録媒体の記録領域を複数の領域に分割し、その分割された各領域毎に記録媒体の傾き値を測定し、その測定した傾き値が予め記憶した規定値を超えるとき、上記記憶した複数種類のランニングＯＰＣ工程の中から記録媒体に照射する光の記録パワー値を高精度で補正するランニングＯＰＣ工程を選択する手段を設けた情報記録再生装置。
【００１４】
（８）記録媒体に光を照射して情報の記録又は再生を行う情報記録再生装置において、記録媒体の複数段階の情報記録品質レベル毎に対応する記録媒体への記録中に照射する光の記録パワー値を補正するランニングＯＰＣ工程を記憶し、上記記録媒体への情報記録前又は情報記録中に情報記録条件又は上記記録媒体へ照射した光の反射光を検出し、その検出した反射光に基づく算出値と予め記憶した規定値との比較結果に基づいて上記情報記録前又は情報記録中の記録媒体の情報記録品質レベルの段階を判別し、上記記憶した複数段階の情報記録品質レベル毎のランニングＯＰＣ工程の中から上記判別した情報記録品質レベルの段階に対応するランニングＯＰＣ工程を選択する手段と、記録媒体への記録中に記録媒体に照射する光の記録パワー値を補正するランニングＯＰＣ工程を複数種類記憶し、情報記録品質レベルが低い記録媒体の識別情報のリストを記憶し、情報を記録する記録媒体の識別情報が上記記憶したリストに有るか否かを判別し、上記情報を記録する記録媒体の識別情報が上記記憶したリストに有ったとき、上記記憶した複数種類のランニングＯＰＣ工程の中から記録媒体に照射する光の記録パワー値を高精度で補正するランニングＯＰＣ工程を選択する手段と、記録媒体への記録中に記録媒体に照射する光の記録パワー値を補正するランニングＯＰＣ工程を複数種類記憶し、情報を記録する記録媒体の内周側と外周側とでそれぞれ試し書きをして内周側と外周側とにおける照射する光の最適記録パワー値を算出し、その算出した各最適記録パワー値の差分値が予め記憶した規定値よりも大きいとき、上記記憶した複数種類のランニングＯＰＣ工程の中から記録媒体に照射する光の記録パワー値を高精度で補正するランニングＯＰＣ工程を選択する手段と、記録媒体への記録中に記録媒体に照射する光の記録パワー値を補正するランニングＯＰＣ工程を複数種類記憶し、記録媒体の情報記録品質の許容レベルを超える記録品質領域を示す規定アドレス範囲を記憶し、記録媒体への情報記録量と情報記録開始アドレスとに基づいて情報記録終了アドレスを算出し、その算出した情報記録終了アドレスが上記記憶した規定アドレス範囲内にあるとき、上記記憶した複数種類のランニングＯＰＣ工程の中から記録媒体に照射する光の記録パワー値を高精度で補正するランニングＯＰＣ工程を選択する手段と、記録媒体への記録中に記録媒体に照射する光の記録パワー値を補正するランニングＯＰＣ工程を複数種類記憶し、記録媒体の情報記録品質の許容レベルを超える情報記録速度を示す規定速度を記憶し、記録媒体への情報記録速度が上記規定速度を超えるとき、上記記憶した複数種類のランニングＯＰＣ工程の中から記録媒体に照射する光の記録パワー値を高精度で補正するランニングＯＰＣ工程を選択する手段と、記録媒体の複数の記録領域毎に対応する記録媒体への記録中に照射する光の記録パワー値を補正するランニングＯＰＣ工程を記憶し、記録媒体に情報を記録するとき、上記記憶した複数の記録領域毎に対応するランニングＯＰＣ工程の中から記録先の記録領域に対応するランニングＯＰＣ工程を選択する手段と、記録媒体への記録中に記録媒体に照射する光の記録パワー値を補正するランニングＯＰＣ工程を複数種類記憶し、記録媒体に情報を記録する前に、上記記録媒体の記録領域を複数の領域に分割し、その分割された各領域毎に記録媒体の傾き値を測定し、その測定した傾き値が予め記憶した規定値を超えるとき、上記記憶した複数種類のランニングＯＰＣ工程の中から記録媒体に照射する光の記録パワー値を高精度で補正するランニングＯＰＣ工程を選択する手段と、上記各手段の内から選択した複数の手段を有効にする手段とを設けたことを特徴とする情報記録再生装置。
【発明の効果】
【００１５】
この発明による情報記録再生装置は、記録媒体への情報記録品質の低下を防ぐことができる。
【発明を実施するための最良の形態】
【００１６】
以下、この発明を実施するための最良の形態を図面に基づいて具体的に説明する。
〔実施例〕
図１は、この発明の実施例の情報記録再生装置の構成を示すブロック図である。
この情報記録再生装置は、ＣＤドライブ、ＤＶＤドライブを含む光ディスク装置であり、光ディスク１はトラックと呼ばれる記録溝を持つ記録媒体、光情報記録媒体である。
この情報記録再生装置は、光ディスク１をスピンドル駆動部６によって回転する。
ピックアップ部（図中「ＰＵ」と略して記載している）２は、半導体光源であるレーザダイオード部（ＬＤ部）３が発生するレーザ光Ｌを光ディスク１に向かって照射し、同時に反射光を受光してトラックに追従しながら情報の記録又は再生を行う。
【００１７】
ピックアップ部２は、さらにレーザ光Ｌを発光するＬＤ部３とそれを発光駆動させるＬＤドライバ部５、ＬＤ部３からのレーザ光Ｌが光ディスク１で反射して戻ってきた反射光を受光する受光部であるフォトダイオード部（ＰＤ部）４、光ディスク１の半径方向の傾き（チルト）を検出するチルトセンサ１４、ＬＤ部３の周辺温度を検出する温度検出器１５などからなる。
ＰＤ部４では受光した光信号を電気信号であるＲＦ信号に変換する。そのＲＦ信号はサンプル・ホールド回路９に入力される。
サンプル・ホールド回路９で所望の部分のＲＦ信号を検出し、その電圧信号をＣＰＵ１０に出力する。
【００１８】
また、信号処理部１１は、ＰＤ部４から入力されたＲＦ信号を処理してＣＰＵ１０に送る。
ＣＰＵ１０には制御手順を実行させるためのプログラムを格納するＲＯＭ１３と、作業領域としてＲＡＭ１２とが接続されており、それらの間でデータを送受信することで動作し、信号処理部１１から入力された信号に演算を行ってサーボ部８に送り、信号処理部１１、サーボ部８を含む上記各部を直接的、間接的に制御することによって一連の制御動作を実現し、この情報記録再生装置の全体を総括制御している。
サーボ部８では、ＣＰＵ１０から入力された信号情報からピックアップ駆動部（ＰＵ駆動部）７に対してトラック制御、フォーカス制御、シーク制御を含む制御を行い、またスピンドル駆動部６に対して回転制御を行う。
すなわち、ＣＰＵ１０、ＲＡＭ１２、ＲＯＭ１３を含む各部がこの発明に係る各手段の機能を果たす。
【００１９】
この情報記録再生装置では、ＣＰＵ１０の制御により、光ディスク１への情報の記録時、ランニングＯＰＣを実施する。まず、ＯＰＣ（Ｏｐｔｉｍｕｍ  Ｐｏｗｅｒ  Ｃｏｎｔｒｏｌ）とは、記録パワー値の最適化のことであり、光ディスクの内周と外周に設けてある試し書きをするＰＣＡ（Ｐｏｗｅｒ  Ｃａｌｉｂｒａｔｉｏｎ  Ａｒｅａ）領域で記録パワー値を段階的に変化させて情報を記録し、その部分の再生を行って情報記録品質のレベルが最大となる記録パワー値を算出し、その記録パワー値を情報の記録時に最適記録パワー値として設定する。
そして、ランニングＯＰＣは、光ディスクへの記録中に光ディスクに照射する光の記録パワー値を補正するＯＰＣである。
【００２０】
また、この情報記録再生装置では、ＲＯＭ１３には予め３種類のランニングＯＰＣ工程が保存されている。
その３種類のランニングＯＰＣ工程の内容を表１に示す。
【００２１】
【表１】
2006302457.tif 000003
【００２２】
ＩＤ１の第１ランニングＯＰＣ工程は、光ディスクへの記録中に得られる反射光をモニタしてＬＤ部３に発生させるレーザ光Ｌの記録パワー値を補正するランニングＯＰＣであり、記録パワー値の補正の精度は中程度であり、処理時間は速い。
ＩＤ２の第２ランニングＯＰＣ工程は、光ディスクへの記録中に記録を一時中断して情報記録品質を測定し、その情報記録品質が一定のレベルになるようにＬＤ部３に発生させるレーザ光Ｌの記録パワー値を補正するランニングＯＰＣであり、記録パワー値の補正を高精度に実行することが可能であるが他のものに比べて処理時間がかかって遅い。
第３ランニングＯＰＣ工程は、ピックアップ部２に搭載された温度検出器１５で記録中のＬＤ部３の周囲の温度を測定し、ＬＤ部３の温度上昇による見かけ上の記録パワー値の出力低下のみを補正し、光ディスク１の半径方向のソリや、記録層の記録感度ばらつきなどによる情報記録品質の低下をもたらさない補正は行わないランニングＯＰＣであり、記録パワー値の補正の精度は低いが、処理時間は速い。
【００２３】
この情報記録再生装置のＣＰＵ１０は、光ディスク１の情報記録品質の信頼性によって高記録品質が期待される場合には第３ランニングＯＰＣ工程を、情報記録品質が低いと予想される光ディスク１の記録には第２ランニングＯＰＣ工程を、一般的な情報記録品質が期待される光ディスク１への記録には第１ランニングＯＰＣ工程を選択する。
本実施例では３種類のランニングＯＰＣ工程をＲＯＭ１３に記憶した場合を説明するが、ＲＯＭ１３に記憶するランニングＯＰＣ工程の種類は３種類である必要は無く、あらゆる記録条件、光ディスク１の種類に対応したランニングＯＰＣ工程を記憶するようにすることも可能である。
【００２４】
次に、この情報記録再生装置のランニングＯＰＣ処理について説明する。
まず、ＲＯＭ１３には、光ディスク１への情報記録前又は情報記録中に情報記録条件又は光ディスク１へ照射した光の反射光を検出し、その検出した反射光に基づく算出値と比較する規定値を記憶して保存している。
【００２５】
この処理の場合、ＣＰＵ１０は、光ディスク１への情報記録前又は情報記録中に情報記録条件又は光ディスク１へ照射した光の反射光を検出し、その検出した反射光に基づく算出値とＲＯＭ１３に予め記憶した規定値との比較結果に基づいて、情報記録前又は情報記録中の光ディスク１の情報記録品質レベルの段階を判別し、ＲＯＭ１３に記憶した複数段階の情報記録品質レベル毎のランニングＯＰＣ工程の中から上記判別した情報記録品質レベルの段階に対応するランニングＯＰＣ工程を選択する。例えば、光ディスク１の情報記録品質レベルが低レベルの場合は第３ランニングＯＰＣ工程を、光ディスク１の情報記録品質レベルが中レベルの場合は第１ランニングＯＰＣ工程を、光ディスク１の情報記録品質レベルが高レベルの場合は第２ランニングＯＰＣ工程をそれぞれ選択する。
【００２６】
次に、この情報記録再生装置の他のランニングＯＰＣ処理について説明する。
この処理の場合、ＲＯＭ１３に、情報記録品質が低い光ディスクのディスクＩＤの一覧である低記録品質（メディア）リストと、情報記録品質が高い光ディスクのディスクＩＤの一覧である高記録品質（メディア）リストを保存している。
上記ディスクＩＤとは、光ディスクのプリフォーマット情報から得られるディスクメーカーの識別情報である。
さらに、ＲＯＭ１３には、光ディスク１の内周側と外周側とでそれぞれ試し書きをして内周側と外周側とにおける照射する光の最適記録パワー値を算出し、その算出した各最適記録パワー値の差分値と比較する規定値も記憶して保存している。
【００２７】
また、光ディスクの情報記録品質の許容レベルを超える記録品質領域を示す規定アドレス範囲も記憶している。
上記規定アドレス範囲は、情報記録再生装置の各種ディスクを使用した情報記録試験、情報記録再生装置の製造工程などでの記録品質検査などから得られる統計的に情報記録品質が低下する領域のアドレスである。
さらに、光ディスクの情報記録品質の許容レベルを超える情報記録速度を示す規定速度も記憶している。
上記規定速度は、規定情報記録速度であり、情報記録再生装置の各種ディスクを使用した情報記録試験、情報記録再生装置の製造工程などでの記録品質検査などから得られる統計的にその速度以上の情報記録を行うと情報記録品質が低下する情報記録速度である。
【００２８】
図２は、図１に示す情報記録再生装置のランニングＯＰＣ処理を示すフローチャート図である。
ＣＰＵ１０は、光ディスク１への記録前、ステップ（図中「Ｓ」で示す）１で光ディスクがマウントされると、その光ディスクのプリフォーマット情報からディスクＩＤを読み取って取得し、そのディスクＩＤをＲＡＭに保持する。
ステップ２でＲＡＭに保持したディスクＩＤがＲＯＭに予め保存している低記録品質（メディア）リストに有るか否かを判別する。
ステップ２の判別でＲＡＭに保持したディスクＩＤが低記録品質リストに有ったとき、この光ディスクが低記録品質のメディアであると判断し、ステップ１１でＲＡＭに記憶されている第１〜第３ランニングＯＰＣ工程の中から第２ランニングＯＰＣ工程を選択して情報記録を実行し、この処理を終了する。
【００２９】
ステップ２の判別でＲＡＭに保持したディスクＩＤが低記録品質リストに無かったとき、ステップ３でＲＡＭに保持したディスクＩＤがＲＯＭに予め保存している高記録品質（メディア）リストに有るか否かを判別する。
ステップ３の判別でＲＡＭに保持したディスクＩＤが高記録品質リストに有ったとき、この光ディスクが高記録品質のメディアであると判断し、ステップ７で内周ＯＰＣを実行し、光ディスクの内周側のＰＣＡ領域で試し書きをして内周側における照射する光の最適記録パワー値Ｐｗ＿ｉｎを算出して取得し、ステップ８で外周ＯＰＣを実行し、光ディスクの外周側のＰＣＡ領域で試し書きをして外周側における照射する光の最適記録パワー値Ｐｗ＿ｏｕｔを算出して取得する。
【００３０】
ステップ９で最適記録パワー値Ｐｗ＿ｉｎと最適記録パワー値Ｐｗ＿ｏｕｔの差分値が予めＲＯＭに記憶した規定値以内か否かを判断し、規定値以内ならその光ディスクは高い情報記録品質が期待できるメディアと判断し、ステップ１０でＲＡＭに記憶されている第１〜第３ランニングＯＰＣ工程の中から第３ランニングＯＰＣ工程を選択して情報記録を実行し、この処理を終了する。
一方、ステップ９の判断で最適記録パワー値Ｐｗ＿ｉｎと最適記録パワー値Ｐｗ＿ｏｕｔの差分値が規定値よりも大きいとき、この光ディスクは半径方向に歪みがある又は光ディスクの情報記録層の感度にムラがある低い情報記録品質のメディアと判断し、ステップ６でＲＡＭに記憶されている第１〜第３ランニングＯＰＣ工程の中から第１ランニングＯＰＣ工程を選択して情報記録を実行し、この処理を終了する。
【００３１】
上記のように内周側だけのＯＰＣではなく、外周側でもＯＰＣを行うことによって最適記録パワー値の変動を検出し、高品質記録ディスクと予測されている光ディスクの記録面のソリ、感度ばらつきを検出することができる。
ステップ３の判別でＲＡＭに保持したディスクＩＤが高記録品質リストに無かったとき、ステップ４で光ディスクへの情報記録量と情報記録開始アドレスとに基づいて情報記録終了アドレスを算出し、その算出した情報記録終了アドレスがＲＯＭに記憶した規定アドレス範囲内にあるか否かを判断する。
【００３２】
ステップ４の判断で情報記録終了アドレスがＲＯＭに記憶した規定アドレス範囲内にあるとき、低い情報記録品質が予想される光ディスクと判断し、ステップ１１で第１〜第３ランニングＯＰＣ工程の中から第２ランニングＯＰＣ工程を選択して情報記録を実行し、この処理を終了する。
ステップ４の判断で情報記録終了アドレスがＲＯＭに記憶した規定アドレス範囲内に無いとき、ステップ５で光ディスクへの情報記録速度がＲＯＭに記憶した規定速度以下か否かを判断する。
【００３３】
ステップ５の判断で光ディスクへの情報記録速度がＲＯＭに記憶した規定速度を超えるとき、低い情報記録品質が予想される光ディスクと判断し、ステップ１１で第１〜第３ランニングＯＰＣ工程の中から第２ランニングＯＰＣ工程を選択して情報記録を実行し、この処理を終了する。
ステップ５の判断で光ディスクへの情報記録速度がＲＯＭに記憶した規定速度以下のとき、ステップ６で第１〜第３ランニングＯＰＣ工程の中から第１ランニングＯＰＣ工程を選択して情報記録を実行し、この処理を終了する。
【００３４】
この実施例の情報記録再生装置で重要な点は、光ディスク１を情報記録品質の信頼性を高いもの、低いもの、普通のものに分類し、その情報記録品質への信頼性に対応した最適なランニングＯＰＣを実行することである。
このように、情報記録品質の信頼性からランニングＯＰＣを選択することによって、各種の光ディスクへの情報記録品質の低下を抑制し、安定した記録品質を実現することができる。
【００３５】
次に、上述した情報記録前に情報記録状態で選択したランニングＯＰＣ工程を情報記録中に得られる信号を用いて切り替える処理について説明する。
光ディスク１への情報記録中にランニングＯＰＣ工程を切り替えるのは情報記録前に選択したランニングＯＰＣ工程では記録品質を保証できない場合に必要になる。
この処理の場合、ＲＡＭ１２に光ディスク１の記録領域を複数の領域に分割し、その分割された各領域毎に光ディスク１の傾き値を測定し、その測定した傾き値と比較する規定値を予め記憶している。この規定値とは、光ディスクへの情報記録品質が保証できる傾きの測定値であり、情報記録再生装置の各種ディスクを使用した情報記録試験、情報記録再生装置の製造工程などでの記録品質検査などから得られる統計的な値を用いると良い。
【００３６】
図３は、図１に示す情報記録再生装置の情報記録中の処理を示すフローチャート図である。図４は、光ディスクの記録領域の分割した複数の領域を示す図である。
図３に示すように、ＣＰＵ１０は、ステップ２１で情報記録前の情報記録条件を用いたランニングＯＰＣの選択で一般的な情報記録中の反射光を用いた第１ランニングＯＰＣ工程を選択して情報記録を開始すると、ステップ２２で光ディスクの記録領域の規定のアドレスまで記録する毎にチルトセンサによって光ディスクの傾き（チルト）を測定し、その測定値をＲＡＭに保持する。
【００３７】
上記チルトを正確に検出するために、光ディスク１の記録領域を複数の領域（各領域を「ゾーン」と呼ぶ）に分割し、各ゾーンへの記録前にそのゾーンのチルトを測定する。
また、一般に、光ディスクの傾きは内周側に比べて外周側で大きくなるので、光ディスク１の外周方向に向かって半径方向の距離が密になるようにするとなおよい。例えば、図４に示すように、第１〜第４ゾーンの４つのゾーンに分割する。そして、内周側ではチルトの量が情報記録品質を低下させるほど多くないので、情報記録がゾーンをまたぐ際に情報記録を中断し、そのゾーンのチルトを測定するようにしてもよい。その場合、第１ゾーンのチルトの測定は省略される。
【００３８】
ＣＰＵ１０は、図３のステップ２３で、今回測定したチルトの測定値、又は前回測定したチルトの測定値との差をＲＯＭに記憶している規定値と比較し、チルトの規定値が規定値以内か否かを判断し、規定値以内なら、ステップ２４で光ディスクへの情報の書き込みを開始し、ステップ２５で情報記録が終了したか否かを判断し、終了しなければステップ２２の処理へ戻り、終了ならこの処理を終了する。
【００３９】
ステップ２３の判断でチルトの規定値が規定値を超えるとき、そのゾーンは低記録品質が予想される光ディスクであると判断して、ステップ２６でＲＡＭに記憶した第１〜第３ランニングＯＰＣ工程の中から高精度の第２ランニングＯＰＣ工程を選択して切り換え、ステップ２７で情報の書き込みを開始し、ステップ２８で情報記録が終了したか否かを判断し、終了しなければステップ２７の処理へ戻って情報記録を継続し、終了ならこの処理を終了する。
【００４０】
上述の処理で、光ディスク１の最内周の分割領域である第１ゾーンのチルト測定を省略するなら、ステップ２１の処理の後で直ちに第１ゾーンへの情報記録を開始し、第１ゾーンから第２ゾーンへ移行する際、第２ゾーンから第３ゾーンへ移行する際、第３ゾーンから第４ゾーンへ移行する際に、それぞれ情報記録を一旦中断し、その移行前のゾーンのチルトを測定し、その測定値が規定値を超えたときにのみ第２ランニングＯＰＣ工程に切り換えて次のゾーンへの記録を開始するようにしてもよい。
このようにして、光ディスクへの情報記録中にランニングＯＰＣの種類を切り替えることによって、各種の光ディスクへの情報記録品質の低下を抑制し、安定した記録品質を実現することができる。
【００４１】
次に、上述した処理の他に、ＣＰＵ１０が、上述の光ディスク１へ照射した光の反射光に基づく算出値と規定値との比較結果に基づいてランニングＯＰＣ工程を選択する処理、光ディスク１が情報記録品質レベルが低い光ディスクのときに記録パワー値を高精度で補正するランニングＯＰＣ工程を選択する処理、光ディスク１の内周側と外周側の各最適記録パワー値の差が規定値よりも大きいときに記録パワー値を高精度で補正するランニングＯＰＣ工程を選択する処理、光ディスク１の情報記録終了アドレスが規定アドレス範囲内にあるときに記録パワー値を高精度で補正するランニングＯＰＣ工程を選択する処理、光ディスク１の情報記録速度が規定速度を超えるときに記録パワー値を高精度で補正するランニングＯＰＣ工程を選択する処理、光ディスク１に情報を記録するとき、予め分割した複数の記録領域毎に対応するランニングＯＰＣ工程の中から記録先の記録領域に対応するランニングＯＰＣ工程を選択する処理、光ディスク１の分割された記録領域毎にチルトが規定値を超えるときは記録パワー値を高精度で補正するランニングＯＰＣ工程を選択する処理の全てを実行するようにしても良いし、いずれか複数の処理を組み合わせて実行するようにしても良いし、予め上記全処理を実行可能に設定しておき、ユーザによって選択されたいずれか１つ又は複数の処理を有効にするように制御するようにしてもよい。
【産業上の利用可能性】
【００４２】
この発明による情報記録再生装置は、記録媒体に情報を記録又は再生する装置全般に適用することができる。
【図面の簡単な説明】
【００４３】
【図１】この発明の実施例の情報記録再生装置の構成を示すブロック図である。
【図２】図１に示す情報記録再生装置のランニングＯＰＣ処理を示すフローチャート図である。
【図３】図１に示す情報記録再生装置の情報記録中の処理を示すフローチャート図である。
【図４】光ディスクの記録領域の分割した複数の領域を示す図である。
【符号の説明】
【００４４】
１：光ディスク    ２：ピックアップ部    ３：ＬＤ部    ４：ＰＤ部    ５：ＬＤドライバ部    ６：スピンドル駆動部    ７：ＰＵ駆動部    ８：サーボ部    ９：サンプル・ホールド回路    １０：ＣＰＵ    １１：信号処理部    １２：ＲＡＭ    １３：ＲＯＭ    １４：チルトセンサ    １５：温度検出器
【図１】
2006302457.tif 000004
【図２】
2006302457.tif 000005
【図３】
2006302457.tif 000006
【図４】
2006302457.tif 000007